(57)【要約】【課題】ロッドアンテナを備えた携帯機器において、アンテナのケースへの取り付けを容易にするとともに、ケースの剛性を高める。【解決手段】第１ケース２６と、第１ケース２６に重ね合わされる第２ケース２７と、を有する筐体２と、第１ケース２６に設けられた第１固定部２６ａと、第２ケース２７に設けられた第２固定部２７ａと、第１ケース２６及び前記第２ケース２７に挟み込まれる取付部６３を備えたアンテナ６の取付部６３と、を備え、第１固定部２６ａ、第２固定部２７ａ及び取付部６３を纏めて取付固定部材６５により固定する。【選択図】図２４
2010263522.tif 000002
【特許請求の範囲】
【請求項１】
第１ケースと、前記第１ケースに重ね合わされる第２ケースと、を有する筐体と、
前記第１ケースに設けられた第１固定部と、
前記第２ケースに設けられた第２固定部と、
前記第１ケース及び前記第２ケースに挟み込まれるアンテナの取付部と、を備え、
前記第１固定部、前記第２固定部及び前記取付部を纏めて取付固定部材により固定することを特徴とするアンテナ取付構造。
【請求項２】
前記第１ケースと前記第２ケースとに挟み込まれ、前記取付固定部材を遮蔽するとともに、前記第１ケース及び前記第２ケースを補強する補強部材を備えることを特徴とする請求項１に記載のアンテナ取付構造。
【請求項３】
前記第１固定部および前記第２固定部のうち一方の固定部を、他方の固定部と前記取付部とで挟持するとともに、前記取付固定部材によって前記他方の固定部と前記取付部とを互いに固定することを特徴とする請求項１または２に記載のアンテナ取付構造。
【請求項４】
前記筐体に設けられた溝と、
前記取付部に、前記取付部に対し回転可能に設けられたアンテナの本体と、を備え、
前記本体は、前記取付部に対して回転させることで、前記溝内への収納と、前記溝から取り出しとが可能となっていることを特徴とする請求項１から３のいずれか一項に記載のアンテナ取付構造。
【請求項５】
前記本体の先端に前記溝に対しスライド可能に設けられた先端部と、
前記溝に前記溝の中間部から前記溝の端部に向かうに従い、前記溝の奥から前記溝の外側へと傾斜するように設けられた斜面と、を備えることを特徴とする請求項４に記載のアンテナ取付構造。
【請求項６】
前記アンテナの先端部に、前記アンテナの側方へと突出する突起を備えることを特徴とする請求項５に記載のアンテナ取付構造。
【請求項７】
請求項１から６のいずれか一項に記載のアンテナ取付構造を備えることを特徴とする携帯機器。
【発明の詳細な説明】
【技術分野】
【０００１】
本発明は、ロッドアンテナを筐体へ取り付ける構造と、その構造を有する携帯機器に関する。
【背景技術】
【０００２】
ロッドアンテナを備えた携帯機器では、ロッドアンテナをキャビネットにネジ等で取り付けている（特許文献１参照）。
【先行技術文献】
【特許文献】
【０００３】
【特許文献１】特開昭６１−２５８５０６号公報
【発明の概要】
【発明が解決しようとする課題】
【０００４】
ところで、携帯機器の筐体が複数のケースで構成されている場合には、ロッドアンテナを複数のケースのうちの何れかのケースに固定した後、ケースどうしを固定している。このため、ロッドアンテナに衝撃が加わると、ロッドアンテナを固定しているケースにのみ衝撃力が伝わってしまう。
【０００５】
本発明の課題は、ロッドアンテナを備えた携帯機器において、アンテナのケースへの取り付けを容易にするとともに、ケースの剛性を高めることである。
【課題を解決するための手段】
【０００６】
以上の課題を解決するため、請求項１に記載の発明は、第１ケースと、前記第１ケースに重ね合わされる第２ケースと、を有する筐体と、前記第１ケースに設けられた第１固定部と、前記第２ケースに設けられた第２固定部と、前記第１ケース及び前記第２ケースに挟み込まれるアンテナの取付部と、を備え、前記第１固定部、前記第２固定部及び前記取付部を纏めて取付固定部材により固定するアンテナ取付構造を特徴とする。
【０００７】
請求項２に記載の発明は、請求項１に記載のアンテナ取付構造であって、前記第１固定部および前記第２固定部のうち一方の固定部を、他方の固定部と前記取付部とで挟持するとともに、前記取付固定部材によって前記他方の固定部と前記取付部とを互いに固定することを特徴とする。
【０００８】
請求項３に記載の発明は、請求項１または２に記載のアンテナ取付構造であって、前記第１固定部および前記第２固定部のうち一方の固定部を、他方の固定部と前記取付部とで挟持するとともに、前記取付固定部材によって前記他方の固定部と前記取付部とを互いに固定することを特徴とする。
【０００９】
請求項４に記載の発明は、請求項１から３のいずれか一項に記載のアンテナ取付構造であって、前記筐体に設けられた溝と、前記取付部に、前記取付部に対し回転可能に設けられたアンテナの本体と、を備え、前記本体は、前記取付部に対して回転させることで、前記溝内への収納と、前記溝から取り出しとが可能となっていることを特徴とする。
【００１０】
請求項５に記載の発明は、請求項４に記載のアンテナ取付構造であって、前記本体の先端に前記溝に対しスライド可能に設けられた先端部と、前記溝に前記溝の中間部から前記溝の端部に向かうに従い、前記溝の奥から前記溝の外側へと傾斜するように設けられた斜面と、を備えることを特徴とする。
【００１１】
請求項６に記載の発明は、請求項５に記載のアンテナ取付構造であって、前記アンテナの先端部に、前記アンテナの側方へと突出する突起を備えることを特徴とする。
【００１２】
請求項７に記載の発明は、請求項１から６のいずれか一項に記載のアンテナ取付構造を備える携帯機器を特徴とする。
【発明の効果】
【００１３】
本発明によれば、アンテナの筐体への取り付けが容易になる。また、筐体の剛性が高まる。
【図面の簡単な説明】
【００１４】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図１の折り畳み状態の携帯電話を他端側から見た拡大図である。
【図１０】図２の縦方向開放状態での画面とカメラの方向を示した図である。
【図１１】図１０と反対側から見た図である。
【図１２】図１０と反対側でバンパー部も示した図である。
【図１３】図８のヒンジユニットの縦方向開放状態に対応した図である。
【図１４】図３の横方向開放状態でのブックスタイルを示した図である。
【図１５】図８のヒンジユニットのブックスタイルに対応した図である。
【図１６】図４のムービースタイルでの画面とカメラの方向を示した図である。
【図１７】図１６の上方向から見た平面図である。
【図１８】図１６のムービースタイルでの反対側から見た持ち方を示した図である。
【図１９】図８のヒンジユニットのムービースタイルに対応した図である。
【図２０】図１の携帯電話を図１と異なる方向から見た斜視図である。
【図２１】図１の携帯電話の第２筐体のみを示した斜視図である。
【図２２】図２１の分解斜視図である。
【図２３】図２２の第１ケース及び取付部を拡大して示した斜視図である。
【図２４】図２１のＡ−Ａ断面図である。
【図２５】図２０の一部を拡大して示した斜視図である。
【図２６】図２５を異なる方向から見た図である。
【発明を実施するための形態】
【００１５】
以下、図を参照して本発明を実施するための形態を詳細に説明する。
（実施形態）
図１から図４は本発明を適用した携帯機器の一実施形態の構成として携帯電話を示したもので、１は第１筐体、２は第２筐体、３は第３筐体、４は操作部、５は表示部、６はアンテナ、７は入力部（撮影部）、８は照明部である。
【００１６】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３には入力部としての撮影部７及び照明部８が設けられている。
【００１７】
図５及び図８は第３筐体３の内部に組み込まれる２軸ヒンジユニット１０を示したもので、１１は第１回転軸、１２は第２回転軸、１３は第３筐体３のフレーム、２１は第１取付部材、２２は第２取付部材である。
【００１８】
２軸ヒンジユニット１０は、図示のように、左右一対の第１回転軸１１と、右側の第２回転軸１２と、中央の第３筐体３のフレーム１３と、第１回転軸１１の各々に設けた左右一対の第１取付部材２１と、第２回転軸１２に設けた第２取付部材２２とから構成される。
【００１９】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００２０】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２１】
図６は第１配線３１及び第２配線３２を示し、図７は２軸ヒンジユニット１０と第１配線３１及び第２配線３２を組み合わせた図である。
【００２２】
すなわち、第１配線３１は、第１筐体１内の基板に接続されるコネクタ３１ａを一端に備えて第３筐体３内の基板に接続されるコネクタ３１ｃを他端に備えるもので、図７において右側の第１回転軸１１の中空部内に通されている。
【００２３】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００２４】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２５】
図９は図１の折り畳み状態の携帯電話を他端側から見て拡大したもので、第３筐体３は第２ケース３４及び第１ケース３５から構成されていて、第１ケース３５より幅狭の第２ケース３４は第１筐体１の端部に形成した凹所１ａに位置している。この第２ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００２６】
また、図示のように、折り畳み状態において、第１ケース３５は第２筐体２の延長上に位置している。この第１ケース３５と第２筐体２との一側部の間に第２回転軸１２が貫通して、これにより、第２筐体２は第３筐体３に対し一側部の第２回転軸１２を中心に横方向に開閉可能である。
【００２７】
そして、第２ケース３４の上部左右には、第１ケース３５の開放部を閉じる突出部が形成されており、この突出部の下面にゴム等の柔らかい材質の緩衝材によるバンパー２３が設けられている。
【００２８】
さらに、第２ケース３４の突出部と第１ケース３５の側面との間に、ロック解除ボタン２４が組み付けられている。このロック解除ボタン２４のスライド操作により、第３筐体３の端面から突出する方向にバネで付勢されて、第２筐体２の端面に形成された凹部（不図示）に係合するロック爪（不図示）を後退させてロックが解除される。
【００２９】
先ず、図１及び図９は第１筐体１上に第１筐体２及び第３筐体３を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００３０】
次に、図２及び図１０から図１２は第１筐体１に対し第２筐体２及び第３筐体３を、第１回転軸１１を中心に縦方向に開放した通常オープンスタイルを示したもので、図１０及び図１１において、矢印Ａで示す方向は撮影部７の向きを示し、矢印Ｂで示す方向は表示部５の画面の向きを示している。そして、図１３はその通常オープンスタイルに対応した２軸ヒンジユニット１０を示したものである。すなわち、フレーム１３に対し第１取付部材２１と第２取付部材２２が互いに反対方向に向いている。
【００３１】
以上の通常オープンスタイルにおいて、第１筐体１に対し第２筐体２及び第３筐体３を、第１回転軸１１を中心に縦方向に開く際に、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されている。
【００３２】
次に、図３及び図１４は第１筐体１及び第３筐体３に対し第２筐体２を、第２回転軸１２を中心に横方向に開放して表示部５を横長としたブックスタイルを示したもので、図１５はそのブックスタイルに対応した２軸ヒンジユニット１０を示したものである。すなわち、折り畳み状態時におけるフレーム１３及び第１取付部材２１に対し第２取付部材２２が一側方に向いている。
【００３３】
次に、図４及び図１６から図１８は第１筐体１に対し第２筐体２及び第３筐体３を、第１回転軸１１を中心に９０度回転して表示部５を横長としたムービースタイルを示したもので、図１６及び図１７において、矢印Ａで示す方向は撮影部７の向きを示し、矢印Ｂで示す方向は表示部５の画面の向きを示している。そして、図１９はそのムービースタイルに対応した２軸ヒンジユニット１０を示したものである。すなわち、折り畳み状態時におけるフレーム１３及び第２取付部材２２に対し第１取付部材２１が直角方向に向いている。
【００３４】
そして、ムービースタイル時においては、図１６から図１８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００３５】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００３６】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する第２ケース及び第１ケースを合体固定するネジを隠すネジ隠しも兼用する。
【００３７】
以上のムービースタイルにおいて、図１８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００３８】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００３９】
次に、以上のムービースタイル時において、撮影部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００４０】
そして、第２筐体２を第３筐体３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００４１】
以上において、ブックスタイル時には、図３及び図１４に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００４２】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００４３】
次に、図２０は、図１に示した携帯電話を別の角度から示したもの、図２１は、第２筐体のみを更に別の角度から示したものである。図中の２５は溝、６５はロックピースである。図示のように、第２筐体２の側部には、溝２５が第２筐体の長手方向に沿って形成されている。そして、溝２５にはアンテナ６が収納されている。アンテナ６は、表示部５にワンセグ放送によるテレビ画像を映し出す際に使用するものである。
【００４４】
図２２は、図２１に示した第２筐体２を背面側から見た分解斜視図である。第２筐体２は、表示部５となる矩形の開口を有する第１ケース２６と、第１ケース２６に重ね合わされる第２ケース２７と、第２ケース２７の端部を背後から覆うカバー２８とから構成される。
【００４５】
第１ケース２６の、第３筐体３が取り付けられる側（図２２の左側）の端部には、表示面に対して垂直に立てられた第１固定部２６ａが一体形成されている。第１固定部２６ａには円形の孔２６ｂが形成されている。第２ケース２７の第３筐体３が取り付けられる側の端部には、その背面に対して垂直に立てられた第２固定部２７ａが一体形成されている。第２固定部２７ａには円形の孔２７ｂが形成されている。孔２７ｂは完全な円形ではなく、端部を直線で切り取った形状をしている。カバー２８の端部には四角い切り欠き２８ａが形成されている。
【００４６】
第１ケース２６と第２ケース２７との間には、アンテナ６が取り付けられる。アンテナ６は、中空棒状の本体６１と、本体６１の基端に設けられたヒンジ部６２と、ヒンジ部６２を支持する取付部６３と、本体６１の先端に設けられたアンテナトップ６４とから構成される。
【００４７】
取付部６３には、ヒンジ部６２が取付部６３に対し回転可能に取り付けられている。そして、ヒンジ部６２の先端には、本体６１がヒンジ部６２に対して回転可能に取り付けられている。取付部６３の即面には、ネジ孔６３ａが形成されており、ネジ孔６３ａの周囲には環状の凸部６３ｂが形成されている。凸部６３ｂの正面視の形状と、第２固定部２７ａの孔２７ｂの形状はほぼ等しい。
【００４８】
アンテナトップ６４には、細長く延びるスライド棒６４ａが一体に形成されている。そして、図２２に示すように、スライド棒６４ａが本体６１の内側に挿入されている。スライド棒６４ａは、本体６１内部でスライド可能となっており、アンテナトップ６４を引っ張ることで本体６１から引き出され、アンテナトップ６４を押すことで本体６１に収納される。本体６１の先端は絞られており、スライド棒６４ａのヒンジ部６２側の端部は幅が広くなっているため、スライド棒６４ａが本体６１から抜け落ちることは無い。
【００４９】
図２３は、第１ケース２６に取付部６３を固定した状態を示したもの、図２４は、図２１のＡ−Ａ断面図である。なお、図２３において第２ケース２７の図示は省略する。第１ケース２６及び第２ケース２７を重ね合わせると、図２１に示したように第１ケース２６及び第２ケース２７の側部に溝２５が形成される。また、第１固定部２６ａと第２固定部２７ａとが、図２４に示したように、第１固定部２６ａを外側にして重なり合う。
【００５０】
取付部６３を第２ケース２７の所定位置に取り付けると、図２４に示したように凸部６３ｂが孔２７ｂに嵌合する。前述したように凸部６３ｂ及び孔２７ｂは共に端部が切り取られた円形をしているため、アンテナ６が第２ケース２７に対し動くことがない。取付部６３が第２ケース２７に嵌合した状態で第１ケース２６を第２ケースに重ね合わせることで、取付部６３は、第３筐体３が取り付けられる側の端部において第１ケースと第２ケースとに挟み込まれる。また、ネジ孔６３ａと孔２６ｂの位置が一致する。
【００５１】
図２３、図２４に示したように、第１固定部２６ａの外側から、取付固定部材であるネジ６５で取付部６３をネジ止めすることで、取付部６３が第１ケース２６に固定される。そして、図２４に示したように、凸部６３ｂの周囲は第２固定部２７ａとなっており、第２固定部２７ａが第１固定部２６ａと取付部６３とに挟持される。すなわち、第１固定部２６ａと取付部６３とを固定することで、第１固定部２６ａと第２固定部２７ａとの固定も同時になされている。こうして、アンテナ６が第２筐体２に取り付けられるとともに、第１ケース２６及び第２ケース２７が相互に固定される。
【００５２】
図２３に示したように、本体６１をヒンジ部６２に対して９０度回転させることで、本体６１及びアンテナトップ６４が溝２５に収納される。そして、本体６１をヒンジ部６２に対して回転させることで、本体６１及びアンテナトップ６４が溝２５から取り出される。更に、本体６１は、第２筐体２に対し任意の角度に傾けて静止させておくことが可能である。また、ヒンジ部６２を取付部６３に対して回転させることにより、本体６１及びアンテナトップ６４を任意の方角に向けた状態で静止させておくことが可能である。
【００５３】
第２ケース２７の端部には、図２４に示したように、背後からカバー２８が被せられる。カバー２８の切り欠き２８ａには、ロックピース６６が係合し、カバー２８が第２ケース２７に取り付けられると、ロックピース６６がカバー２８と第１ケース２６とに挟み込まれて固定される。ネジ６５は、ロックピース６６によって遮蔽される。また、ロックピース６６は、第１ケース及び第２ケースの端部を補強する補強部材も兼ねており、ネジ６５を外側から押さえて第１固定部２６ａ及び第２固定部２７ａを補強している。このようにして、アンテナ６が第２筐体２に固定されている。
【００５４】
次に、図２５は、第２筐体２に収納されたアンテナ６のアンテナトップ６４を示したもの、図２６は、第２ケース２７を取り外した状態で、第２筐体２の側部及びアンテナ６のアンテナトップ６４を背後から示したものである。図中の２５ａはガイドピースである。図２５に示したように、溝２５のアンテナトップ６４が収納される側の端部には、ガイドピース２５ａが取り付けられている。
【００５５】
ガイドピース２５ａは、アンテナトップ６４をガイドするものである。ガイドピース２５ａは、図２６に示す方向から見て略直角三角形の形状をしている。その直角三角形の斜辺に相当する辺を形成する斜面２５ｂは、その直角三角形の内側に向かって緩やかに湾曲している。直角三角形の他の２辺に相当する辺を形成する面にはそれぞれ突起が形成されている。ガイドピース２５ａは溝２５の端部に形成された窪みに突起を嵌め込むことにより溝２５に係合している。ガイドピース２５ａが取り付けられることで、溝２５の端部は、本体６１の先端付近から溝２５の端（図２６では下端）へ向かうに従い、溝２５の奥から第２筐体２の外周面へと傾斜した状態となる。
【００５６】
アンテナトップ６４の側面には、互いに反対方向に向かって突出する突起６４ｂおよび突起６４ｃがそれぞれ形成されている。突起６４ｂ、６４ｃは、突起６４ｂの先端から突起６４ｃの先端までの距離が溝２５の幅より長くなるように形成されている。アンテナ６が溝２５に収納された状態では、突起６４ｂは第２筐体２の外側に突出し、突起６４ｃはガイドピース２５ａの斜面２５ｂに当接している。アンテナトップ６４の先端部は、図２６に示す方向から見て円形をしている。
【００５７】
アンテナ６が溝２５に収納された状態から、アンテナ６を立てた状態にするには、まず、突起６４ｂに図２６の白い矢印で示す向きの力を加える。すると、ガイドピース２５ａに当接した突起６４ｃが斜面２５ｂに沿って摺動し、アンテナトップ６４が黒い矢印の方向に沿って移動する。そして、アンテナトップ６４及び本体６１が仮想線で示したように溝２５の外側に出る。そして、アンテナトップ６４にかけられている力によって、アンテナトップ６４が溝２５の外側に出るのと同時に本体６１から伸ばされる。アンテナトップ６４が延びきった所で、本体６１及びアンテナトップ６４の角度及び方角を調節する。こうしてアンテナ６が立てられる。
【００５８】
立てていたアンテナ６を溝２５に収納する際には、伸ばしていたアンテナトップ６４を本体６１に収め、本体６１及びアンテナトップ６４を倒して溝２５に押し込む。前述したように、溝２５の幅は、突起６４ｂの先端から突起６４ｃの先端までの距離よりも短いので、アンテナトップ６４が図２５、図２６に示した状態から少しでも回転していると、突起６４ｂ、６４ｃが溝２５の淵に引っかかってアンテナ６の収納が妨げられる。その際には、アンテナトップ６４を本体６１に対して回転させ、突起６４ｂまたは突起６４ｃを溝２５に対向させて溝２５に押し込む。こうして、アンテナ６は突起６４ｂ、６４ｃの一方を必ず第２筐体の外側に突出させた状態で溝２５に収納される。
【００５９】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともに第３筐体３に収納した筐体構造で、第１筐体１と第２筐体２を縦方向に開放させた場合は、第３筐体３が第２筐体１とともに移動し、また、横方向に開放させた場合には、第３筐体３が第１筐体１とともに移動する構成としたことで、ムービースタイルにして、表示部５の画面を横長で見ながら撮影部７でムービー撮影することができる。
【００６０】
さらに、ムービースタイル時において、撮影部７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００６１】
また、２軸ヒンジユニット１０は、第１回転軸１１及び第２回転軸１２が第３筐体３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００６２】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００６３】
また、アンテナ６の第１ケース２６への取付構造、及び第１ケース２６と第２ケース２７との相互固定構造が一つにまとめられ、部品点数が削減されるとともに第２筐体２の構造が簡単になる。このため、第２筐体２がコンパクトになるとともにアンテナ６の第２筐体２への取り付けが容易になる。また、アンテナ６が第１ケース２６と第２ケース２７の両方に固定されるので、第２筐体２の剛性が高まるだけでなく、本体６１に衝撃が加わっても、その力を第１ケース２６及び第２ケース２７へと分散させることができる。
【００６４】
また、ロックピース６６で第１固定部２６ａ及びネジ６５を遮蔽するため、携帯電話を横方向に開放した際に見栄えがよい。また、ロックピース６６が、第１固定部２６ａ及び第２固定部２７ａを外側から押さえて補強するので、第２筐体２の剛性が更に高まる。
【００６５】
また、取付部６３の凸部６３ｂを第２固定部２７ａの孔２７ｂに嵌合させて、第１固定部と取付部６３とをネジ止めすることで、第２固定部２７ａが取付部６３と第１固定部２６ａとに挟持されて固定される。このため、組み立てが容易になる。
【００６６】
また、第２筐体２の側部に溝２５を形成するとともに、本体６１を、取付部６３に対し回転可能としたことで、アンテナ６を使用しない時には本体６１を溝２５に収納でき、携帯電話の外観がすっきりする。
【００６７】
また、先端部６４を本体６１に対してスライド可能とし、溝２５の端部に斜面２５ｂを設けることにより、アンテナ６が収納された常態でアンテナトップ６４をスライドさせると、アンテナトップ６４が斜面２５ｂの上を摺動し、アンテナトップ６４が溝２５の外に出るので、アンテナを容易に取り出すことができる。
【００６８】
また、アンテナトップ６４に側方に突出する突起６４ｂを形成することで、突起６４ｂが溝２５の外に突出して指をかけ易くなり、アンテナトップ６４を容易にスライドさせることができる。
【００６９】
（他の変形例）
なお、以上の実施形態においては、携帯電話としたが、本発明はこれに限定されるものではなく、ＰＤＡ、ノートパソコン、ウェアラブルパソコン、電卓、電子辞書などで、カメラを有するもの全ての機器に用いることができる。
また、外側から第１固定部、第２固定部、取付部の並びで固定したが、一まとめに固定すればどのような順番で並んでいてもよい。
また、アンテナを伸び縮み式とせず、本体が取付部に対しスライドするものを用いてもよい。
また、ガイドピースを用いず、溝に斜面を直接形成してもよいし、斜面を曲面状ではなく真っ直ぐに形成してもよい。
また、筐体を構成する各ケースの形状・個数等も任意であり、その他、具体的な細部構造等についても適宜に変更可能であることは勿論である。
【符号の説明】
【００７０】
２     第２筐体
２５   溝
２５ａ ガイドピース
２５ｂ 斜面
２６   第１ケース
２６ａ 第１固定部
２６ｂ 孔
２７   第２ケース
２７ａ 第２固定部
２７ｂ 孔
２８   カバー
６     アンテナ
６１   本体
６２   ヒンジ部
６３   取付部
６３ａ ネジ孔
６３ｂ 凸部
６４   アンテナトップ
６４ａ スライド棒
６４ｂ，６４ｃ突起
６５   ネジ（取付固定部材）
６６   ロックピース（補強部材）
【図１】
2010263522.tif 000003
【図２】
2010263522.tif 000004
【図３】
2010263522.tif 000005
【図４】
2010263522.tif 000006
【図７】
2010263522.tif 000007
【図８】
2010263522.tif 000008
【図９】
2010263522.tif 000009
【図１０】
2010263522.tif 000010
【図１１】
2010263522.tif 000011
【図１２】
2010263522.tif 000012
【図１３】
2010263522.tif 000013
【図１４】
2010263522.tif 000014
【図１５】
2010263522.tif 000015
【図１６】
2010263522.tif 000016
【図１７】
2010263522.tif 000017
【図１８】
2010263522.tif 000018
【図１９】
2010263522.tif 000019
【図２０】
2010263522.tif 000020
【図２１】
2010263522.tif 000021
【図２２】
2010263522.tif 000022
【図２３】
2010263522.tif 000023
【図２４】
2010263522.tif 000024
【図２５】
2010263522.tif 000025
【図２６】
2010263522.tif 000026
【図５】
2010263522.tif 000027
【図６】
2010263522.tif 000028